(57)【特許請求の範囲】
【請求項１】
液透過性のトップシートと、液不透過性のバックシートと、前記トップシート及び前記バックシートの間に配置される吸収体と、を有し、個別包装に際して幅方向に延びる折り線によって長手方向に折り畳まれる吸収性物品であって、
前記吸収性物品は、前部、股部、及び後部を有し、
前記折り線は、前記前部と前記股部との境界部、及び前記股部と前記後部との境界部に設けられ、
前記吸収体は、吸収性繊維及び高吸水性ポリマーを主体として構成されるとともに、前記折り線及びその近傍には、前記折り線に重なるように単数のエンボス溝が幅方向に沿って形成されており、かつ前記エンボス溝の長手方向断面の形状は、逆台形状、逆三角形状又は逆半円形状であり、
前記前部、前記股部、及び前記後部のそれぞれにおいて、前記トップシートから前記吸収体に亘るチャネルエンボスを形成し、
前記股部における前記チャネルエンボスは、長手方向に沿って、前記吸収体の幅方向中央線の左右に一対形成されており、それぞれ幅方向中央線に向かって凸状の曲線であって、その前後両端部は前記エンボス溝に連通し、
前記前部における前記チャネルエンボスは、前記吸収体の前側端部に向かって凸状の半円の円弧であって、その両端部は前記エンボス溝に連通し、かつ
前記後部における前記チャネルエンボスは、前記吸収体の後側端部に向かって凸状の半円の円弧であって、その両端部は前記エンボス溝に連通し、
前記エンボス溝の深さが、前記吸収体の厚さに対して５０％以上９０％以下であり、
前記チャネルエンボスの深さが、前記エンボス溝の深さよりも浅い、
ことを特徴とする、吸収性物品。
【請求項２】
前記エンボス溝の長手方向断面の寸法であって、身体接触側表面側を上面とし、衣類接触側表面側を下面としたときの上辺の寸法が３ｍｍ以上１５ｍｍ以下であり、底部の寸法が上辺の寸法よりも短い、請求項１に記載の吸収性物品。
【発明の詳細な説明】
【技術分野】
【０００１】
本発明は、使用時に折り癖や折りじわが低減された吸収性物品に関する。
【背景技術】
【０００２】
一般に、軽失禁ライナー、軽失禁パッド、及び生理用ナプキン等の吸収性物品は、液透過性のトップシートと、液不透過性のバックシートと、トップシート及びバックシートの間に配置された吸収体と、で構成されており、これにより、尿や血液等の体液は、トップシートを通って吸収体に吸収される。これらの吸収性物品は、通常、これを１枚ごとに３つ折り等に折り畳んで個別包装し、複数枚をプラスチックフィルムにて一括包装しており、消費者が吸収性物品を使用する際には、個別包装から吸収性物品を取り出し、吸収性物品の衣類接触側表面に設けられたズレ止めテープを使用して、吸収性物品を下着に装着している。
【０００３】
吸収性物品の吸収体は、吸収性繊維及び高吸水性ポリマーを主体として構成されるものであり、適度な厚さとクッション性が求められている。そして、吸収性物品は、一般に吸収量ごとに様々な種類のものが販売されているが、吸収性物品の吸収量が多くなるほど、吸収体の厚みは厚くなり、包装時に３つ折りにした場合、３つ折りした部分の吸収体に折り癖がついたり、３つ折りした部分の近傍のトップシートに折りじわが発生したりしてしまう。このような折り癖は、吸収性物品の下着への適切な装着を損ない、身体へのフィット性を低下させることもある他、折りじわも幅方向に発生するため、体液の幅方向への横漏れの原因にもなる。加えて、これらの折り癖、折りじわは、装着時に着用者に不快感を感じさせ、かゆみ等の肌トラブルを引き起こす可能性がある他、外観上も好ましいものとは言えない。
【０００４】
折り癖や折りじわを低減することを目的とした吸収性物品に関係する発明としては、例えば、特許文献１には、トップシート、バックシート、及び吸収体を有する縦長の吸収性物品であって、吸収体が、幅方向に延びており、かつ吸収体の全幅に亘らない長さを有する折り曲げ補助手段が、吸収体の長手方向に位置をずらして複数本形成された折り曲げ領域を有しており、個別包装される際に、折り曲げ領域が存する部位において折り曲げられることを特徴とする吸収性物品が開示されている。また、特許文献２には、トップシートとバックシートとの間に吸収体が配置されるとともに、個別包装される際には、幅方向の折り線にて長手方向に折り畳まれる吸収性物品において、折り線の近傍に、吸収性物品の幅方向に亘る線状の形状保持部材を形成した吸収性物品が開示されている。
【先行技術文献】
【特許文献】
【０００５】
【特許文献１】特開２００９−１５３７３５号公報
【特許文献２】特開２０１３−１７６４１２号公報
【発明の概要】
【発明が解決しようとする課題】
【０００６】
しかしながら、特許文献１の吸収性物品においては、折り曲げ補助手段の近傍で吸収性物品を折り曲げることにより、吸収性物品に強い折り癖がつくことを防止することができるとされているが、トップシート等に発生する折りじわの問題に対しては、何らの配慮もなされていない他、折り癖や折りじわが十分に解消していない場合には、体液が横漏れするおそれもあった。また、特許文献２の吸収性物品は、これを展開した際に形状保持部材を湾曲させて吸収性物品の形状を保持することにより、折り癖や折りじわの問題に対処しようとするものであるが、このような手段を採用しても、トップシートや吸収体の折り癖の形成が抑制されるわけではなく、形成された折り癖も完全には解消されない。したがって、本発明は、以上の課題に鑑みてなされたものであり、個別包装に際して長手方向に折り畳まれる吸収性物品において、使用時に折り癖や折りじわがより低減されており、体液の横漏れも効果的に防止可能な吸収性物品を提供することを目的とする。
【課題を解決するための手段】
【０００７】
本発明の発明者らは、上記課題に鑑み、鋭意研究を行った。その結果、個別包装に際して幅方向に延びる折り線によって長手方向に折り畳まれる吸収性物品において、吸収性物品の前部と股部との境界部、及び股部と後部との境界部の折り線の近傍に幅方向に沿ってエンボス溝を形成し、かつ前部、股部、後部のそれぞれにおいて、トップシートから吸収体に亘る所定のチャネルエンボスを形成することにより、上記課題を解決できることを見出し、本発明を完成するに至った。具体的には、本発明は以下のものを提供する。
【０００８】
（１）  本発明の第１の態様は、液透過性のトップシートと、液不透過性のバックシートと、前記トップシート及び前記バックシートの間に配置される吸収体と、を有し、個別包装に際して幅方向に延びる折り線によって長手方向に折り畳まれる吸収性物品であって、前記吸収性物品は、前部、股部、及び後部を有し、前記折り線は、前記前部と前記股部との境界部、及び前記股部と前記後部との境界部に設けられ、前記吸収体は、吸収性繊維及び高吸水性ポリマーを主体として構成されるとともに、前記折り線及びその近傍には、前記折り線に重なるように単数のエンボス溝が幅方向に沿って形成されており、かつ前記エンボス溝の長手方向断面の形状は、逆台形状、逆三角形状又は逆半円形状であり、前記前部、前記股部、及び前記後部のそれぞれにおいて、前記トップシートから前記吸収体に亘るチャネルエンボスを形成し、前記股部における前記チャネルエンボスは、長手方向に沿って、前記吸収体の幅方向中央線の左右に一対形成されており、それぞれ幅方向中央線に向かって凸状の曲線であって、その前後両端部は前記エンボス溝に連通し、前記前部における前記チャネルエンボスは、前記吸収体の前側端部に向かって凸状の半円の円弧であって、その両端部は前記エンボス溝に連通し、かつ前記後部における前記チャネルエンボスは、前記吸収体の後側端部に向かって凸状の半円の円弧であって、その両端部は前記エンボス溝に連通し、前記エンボス溝の深さが、前記吸収体の厚さに対して５０％以上９０％以下であり、前記チャネルエンボスの深さが、前記エンボス溝の深さよりも浅い、ことを特徴とする、吸収性物品である。
【０００９】
（２）  本発明の第２の態様は、（１）に記載の吸収性物品であって、上記エンボス溝の長手方向断面の寸法であって、身体接触側表面側を上面とし、衣類接触側表面側を下面としたときの上辺の寸法が３ｍｍ以上１５ｍｍ以下であり、底部の寸法が上辺の寸法よりも短いことを特徴とするものである。
【００１０】
（削除）
【００１１】
（削除）
【発明の効果】
【００１２】
本発明の吸収性物品は、前部と股部との境界部、及び股部と後部との境界部に設けられる折り線の近傍に、エンボス溝が幅方向に沿って形成されているので、折り線を谷として吸収性物品を３つ折りにする際に、吸収性物品の表面に折りじわが形成されることがなく、折り癖もより低減することができる。さらに、前部、股部、及び後部に、エンボス溝に連通する所定のチャネルエンボスを形成したので、エンボス溝に体液が滞留するとしても、滞留した体液が、チャネルエンボスを介して吸収体表面に幅広く拡散して吸収され、体液の横漏れ等も効果的に抑制される。
【図面の簡単な説明】
【００１３】
【図１】本発明の吸収性物品の展開図を示す図面である。
【図２】図１におけるＸ１−Ｘ１線による断面図を示す図面である。
【図３】図１におけるＹ１−Ｙ１線による断面図を示す図面である。
【図４】本発明の吸収性物品に設けられるエンボス溝の断面形状を示す図面である。
【発明を実施するための形態】
【００１４】
以下、図１から図４を参照して、本発明の実施形態に係る吸収性物品１について詳細に説明する。なお、本実施形態の説明においては、全体を通して同じ要素には同じ符号を付している。本明細書における以下の説明において、体液とは、尿、血液、軟便中の水分等の体内から体外に排出される液体をいう。さらに、吸収性物品１の着用時とは、吸収性物品１の装着時及び着用後の少なくとも一方を示す。なお、本明細書の説明において、吸収性物品１の長手方向とは、吸収性物品１が着用されたときに着用者の前後にわたる方向であり、図中、符号Ｙで示す方向である。また、吸収性物品１の幅方向とは、長手方向に対して横又は直交する方向であり、図中、符号Ｘで示す方向である。さらに、本明細書において、吸収性物品１の身体接触側表面とは、吸収性物品１の着用時に着用者の肌に当接する表面を指し、衣類接触側表面とは、吸収性物品１の着用時に着用者の衣類に当接する表面を指す。本明細書においては、吸収性物品１の身体接触側表面側を上側と称し、衣類接触側表面側を下側と称することがある。
【００１５】
＜吸収性物品＞
図１は、本発明の吸収性物品１の展開図を示す図面であり、図２は、図１におけるＸ１−Ｘ１線による断面図を示す図面であり、図３は、図１におけるＹ１−Ｙ１線による断面図を示す図面である。本発明の実施形態に係る吸収性物品１としては、図１に示すような軽失禁パッドが例示されるが、本発明はこれに限定されるものではなく、軽失禁ライナー、生理用ナプキン、その他の吸収性物品であってもよい。図１から図３に示すように、吸収性物品１は、身体接触側表面に配置された液透過性のトップシート１０と、トップシート１０に対向し、衣類接触側表面に配置された液不透過性のバックシート３０と、トップシート１０及びバックシート３０の間に配置された吸収体２０と、を備え、これにより、吸収体２０は、トップシート１０とバックシート３０との間に挟まれた構造となっている。吸収性物品１は、個別包装に際して幅方向に延びる２本の折り線４０によって長手方向に折り畳まれるものであり、包装時には長手方向に３つ折りにされる。吸収性物品１は、着用者の前側に位置する前部１ａと、着用者の股間に位置する股部１ｂと、着用者の後側に位置する後部１ｃとを有し、折り線４０は、前部１ａと股部１ｂとの境界部、及び股部１ｂと後部１ｃとの境界部に形成されている。
【００１６】
［トップシート］
トップシート１０は、吸収体２０に向けて体液を速やかに通過させるものであり、吸収体２０を挟んで、バックシート３０と対向して配置されている。トップシート１０は、肌と当接するシートとなることから、柔らかな感触で、肌に刺激を与えないような基材、例えば、エアスルー不織布を代表とするサーマルボンド不織布等の不織布、サーマルボンド／スパンボンドを積層した複合不織布、開口ポリエチレンフィルム等の開口性フィルム、ポリエチレンフォーム、ウレタンフォーム等の発泡フィルム、又はこれらを積層した複合シートといった材料から形成される。トップシート１０は、単層であっても、複数層積層していてもよく、ドライタッチ性を付与するために多数の透孔が形成されていてもよい。
【００１７】
不織布としては、ポリエチレン等の合成繊維やレーヨン等の再生繊維、綿等の天然繊維を用いて、サーマルボンド法の他、スパンレース法やスパンボンド法等の公知の加工法によって得られたものも用いることができる。加工性及び強度の点から、トップシート１０の坪量は、１８ｇ／ｍ２以上４０ｇ／ｍ２以下であることが好ましい。トップシート１０には、肌への刺激を低減させるために、ローション、酸化防止剤、抗炎症成分、ｐＨ調整剤、抗菌剤、保湿剤等を適用してもよい。トップシート１０は、着用者の股部が位置づけられる長手方向中央に括れ部を有する砂時計形状、略矩形形状等の形状を有していてもよく、吸収体２０の側縁よりも若干外方に延在して設けられていてもよい。
【００１８】
なお、本発明においては、吸収体２０の上面への体液の拡散を促進するため、トップシート１０と吸収体２０との間に、液拡散性シート１１を設けてもよい。斯かる液拡散性シート１１としては、例えば、エアスルー不織布、ポイントボンド不織布、スパンボンド不織布、メルトブロー不織布等の不織布や、スパンボンド／メルトブロー、スパンボンド／メルトブロー／スパンボンドを積層した複合不織布を挙げることができる。液拡散性シート１１の厚さは０．１ｍｍ以上であることが好ましく、その坪量は１５ｇ／ｍ２以上であることが好ましい。液拡散性シート１１の形状は、特に制限はないが、尿等の液体がくまなく吸収体２０に拡散するよう、吸収体２０の表面を完全に覆うことができる形状であることが好ましい。
【００１９】
［バックシート］
バックシート３０は、吸収性物品１の外部に体液が漏れないよう、液不透過性を有し、遮水性を有するシート材が用いられるが、ムレ防止のために透湿性を有していてもよい。このような特性を有するバックシート３０の材料としては、例えば、ポリエチレンシートやポリエチレンラミネート不織布等の厚みの薄いプラスチックシートを挙げることができる。バックシート３０は、着用者の股部が位置づけられる長手方向中央に括れ部を有する砂時計形状、略矩形形状等の形状を有していてもよく、吸収体２０の側縁より若干外方に延在して設けられていてもよい。バックシート３０の衣類接触側表面には、着用時に下着等に吸収性物品１を固着するための粘着剤層６０が設けられていてもよい。吸収性物品１が粘着剤層６０を有する場合、粘着剤層６０を保護するための剥離シート６５を有していてもよく、この剥離シート６５は、吸収性物品１の包装シートと部分的に接合されていてもよい。トップシート１０及びバックシート３０は、長手方向端部等、端部の少なくとも一部において、吸収体２０を挟まずに、ホットメルト接着剤やヒートシール等により固着されるフラップを形成していてもよい。
【００２０】
［吸収体］
吸収体２０は、基材としての吸収性繊維と、高吸水性ポリマー（ＳＡＰ）と、を含有する。吸収性繊維は、一般に生理用ナプキン、おむつ、尿取りパッド等の吸収性物品に使用されるものであれば特に制限はなく、例えば、フラッフパルプ、コットン、レーヨン、アセテート、ティシュ、吸収紙、親水性不織布等を挙げることができる。これらの中でも、吸収性の観点から、フラッフパルプを使用することが好ましい。斯かるフラッフパルプとしては、木材パルプ、合成繊維、ポリマー繊維、非木材パルプ等を綿状に解繊したものを挙げることができる。吸収体２０の吸収性繊維は、吸収性能及び肌触りを損なわないよう、１００ｇ／ｍ２以上８００ｇ／ｍ２以下の坪量とすることが好ましい。
【００２１】
吸収体２０の高吸水性ポリマー（Ｓｕｐｅｒ  Ａｂｓｏｒｂｅｎｔ  Ｐｏｌｙｍｅｒ；以下、ＳＡＰとも称する）としては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。吸収体２０のＳＡＰ量は、吸収性能及び肌触りを損なわないよう、５０ｇ／ｍ２以上５００ｇ／ｍ２以下の坪量とすることが好ましく、１５質量％以上６０質量％以下の含有量とすることが好ましい。
【００２２】
吸収体２０において、吸収性繊維及びＳＡＰの形態は、吸収性繊維中にＳＡＰ粒子を混合して形成した積層マットの形態であることが好ましい。また、ＳＡＰ粒子の漏洩防止や吸収体２０の形状の安定化の目的から、吸収体２０をキャリアシートに包むことが好ましい。キャリアシートの基材としては親水性を有するものであればよく、ティシュ、吸収紙、エアレイド不織布等の親水性不織布を挙げることができる。キャリアシートを複数備える場合は、キャリアシートの基材は同一のものであっても異なるものであってもよく、キャリアシートで吸収体２０を包む際の包み方は特に限定されるものではない。
【００２３】
吸収体２０は、上層吸収体と下層吸収体とを積層してなるものであってもよい。この場合、上層吸収体と下層吸収体の長手方向及び幅方向の寸法は、上層吸収体の寸法が下層吸収体の寸法より大きくてもよく、上層吸収体の寸法が下層吸収体の寸法と同じであってもよく、上層吸収体の寸法が下層吸収体の寸法より小さくてもよい。
【００２４】
［エンボス溝］
図４は、本発明の吸収性物品１に設けられるエンボス溝２１の長手方向断面の形状を示す図面である。図１及び図３に示すように、本発明の吸収性物品においては、前部１ａと股部１ｂとの境界部、及び股部１ｂと後部１ｃとの境界部の折り線４０が形成される領域の近傍にエンボス溝２１が、吸収性物品１の幅方向に沿って形成されている。このようにエンボス溝２１が形成されていることにより、折り線４０の谷部における吸収体２０の嵩が低減されるため、折り線４０を谷として折り曲げた際に、吸収性物品１を展開した後においても、折り癖や折りじわが残りにくくなるようになっている。
【００２５】
エンボス溝２１は、吸収体２０の幅方向の全長に亘って形成されていることが好ましく、長手方向断面の寸法は、身体接触側表面側を上面とし、衣類接触側表面側を下面としたときの上辺の寸法が３ｍｍ以上１５ｍｍ以下であることが好ましく、３ｍｍ以上８ｍｍ以下であることがより好ましい。また、図４に示すように、長手方向断面において、底部の寸法は、上辺の寸法よりも短いことが好ましい。長手方向断面における上辺及び底部の寸法を上記の範囲内のものとすることにより、吸収性物品１の折り癖や折りじわを効果的に低減しつつも、エンボス溝２１に滞留することが予想される体液を、吸収体２０に効果的に吸収させることができる。
【００２６】
図４に示すように、エンボス溝２１の長手方向断面の形状は、本発明の効果を損なわない範囲で、特に限定されるものではないが、例えば、逆台形状、逆三角形状、逆半円形状とすることが好ましい。エンボス溝２１の深さＡは、吸収体２０の厚さＢに対して５０％以上９０％以下であることが好ましく、６０％以上８０％以下であることがより好ましい。エンボス溝２１の深さを上記の範囲内のものとすることにより、吸収性物品１の折り癖や折りじわを効果的に低減しつつも、エンボス溝２１に滞留することが予想される体液を、吸収体２０に効果的に吸収させることができる。ここで、吸収体２０の厚さＢは、想定される吸収性物品１の吸収量に応じて異なるが、エンボス溝２１の深さＡは、吸収体２０の厚さＢに対する上記割合の条件を充足する範囲で、２．０ｍｍ以上９．０ｍｍ以下とすることが好ましく、４．０ｍｍ以上７．０ｍｍ以下とすることがより好ましい。
【００２７】
［チャネルエンボス］
図１に示すように、本発明の吸収性物品１においては、前部１ａ、股部１ｂ、及び後部１ｃのそれぞれにおいて、トップシート１０から吸収体２０に亘るチャネルエンボス２２が形成されている。ここで、まず、股部１ｂにおいては、チャネルエンボス２２は、吸収性物品１の長手方向に沿って、吸収体２０の幅方向中央線の左右に一対形成されている。そして、一対のチャネルエンボス２２のそれぞれは、幅方向中心線に向かって凸状の曲線となっており、その前後両端部は前部１ａと股部１ｂとの境界部のエンボス溝２１、及び股部１ｂと後部１ｃとの境界部のエンボス溝２１に連通している。股部１ｂのチャネルエンボスが以上のような構成を採用していることにより、エンボス溝２１に滞留しうる体液が、股部１ｂの吸収体２０の表面上を長手方向と幅方向の両方向に亘って拡散するので、体液の股部１ｂの吸収体への迅速な拡散を促すことができ、エンボス溝２１に滞留する体液を、吸収体２０で効果的に吸収させることができる。
【００２８】
また、吸収性物品１の前部１ａ及び後部１ｃにおいては、チャネルエンボス２２は、それぞれ前側端部及び後側端部に向かう凸状の半円の円弧であって、その両端部がエンボス溝２１に連通している。前部１ａ及び後部１ｃのチャネルエンボスが以上のような構成を採用していることにより、エンボス溝２１に滞留しうる体液が、前部１ａ及び後部１ｃの吸収体２０の表面上を長手方向と幅方向の両方向に亘って拡散するので、体液の前部１ａ及び後部１ｃの吸収体２０への迅速な拡散を促すことができ、エンボス溝２１に滞留しうる体液を、吸収体２０で効果的に吸収することができる。
【００２９】
チャネルエンボス２２の深さは、エンボス溝２１の深さよりも浅いことが好ましい。チャネルエンボス２２の深さをエンボス溝２１の深さよりも浅くすることにより、エンボス溝２１に滞留しうるすべての体液がチャネルエンボス２２に流入することを防止しつつも、チャネルエンボス２２に効果的に体液を拡散させることができる。チャネルエンボス２２の深さは、上記の条件を満たす範囲内において、エンボス溝２１の深さに応じて決められるが、例えば、１．０ｍｍ以上５．０ｍｍ以下であることが好ましく、１．５ｍｍ以上３．５ｍｍ以下であることがより好ましい。
【００３０】
［立体ギャザー］
図２に示すように、吸収性物品１の身体接触側表面には、立体ギャザー５０が設けられていてもよい。この立体ギャザー５０は、トップシート１０とともに体液の閉じ込め空間を形成し、体液の横漏れを防止できるようになっている。立体ギャザー５０は、立体ギャザーシート５１と、立体ギャザーシート５１の自由端部に沿って配された伸縮性弾性部材５２と、を備えていることが好ましい。伸縮性弾性部材５２としては、天然ゴム、合成ゴム、及びポリウレタン等からなる、糸状、紐状、平型形状のものを適宜使用することができる。
【００３１】
＜吸収性物品の製造方法＞
吸収性物品１の製造方法としては、特に限定はなく、従来公知の方法を採用することができ、例えば、必要に応じて、液拡散性シート１１及び立体ギャザー５０をあらかじめトップシート１０に配置した上で、エンボス溝２１を形成した吸収体２０をトップシート１０とバックシート３０との間に挟持し、トップシート１０から吸収体２０に亘るチャネルエンボス２２を形成させつつ、トップシート１０とバックシート３０とを一部又は全周に亘ってホットメルト接着剤やヒートエンボス、超音波エンボス、高周波エンボス等を用いて固定することで製造することができる。そして、これを包装体に個別包装した後、長手方向に３つ折り等にして折り畳めばよい。
【００３２】
以上、本発明を実施形態を用いて説明したが、本発明の技術的範囲は上記の実施形態に記載の発明の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００３３】
１      吸収性物品
１ａ    前部
１ｂ    股部
１ｃ    後部
１０    トップシート
１１    液拡散性シート
２０    吸収体
２１    エンボス溝
２２    チャネルエンボス
３０    バックシート
４０    折り線
５０    立体ギャザー
５１    立体ギャザーシート
５２    伸縮性弾性部材
６０    粘着剤層
６５    剥離シート
Ａ      エンボス溝の深さ
Ｂ      吸収体の厚さ
【図１】
0006761238.tif 000002
【図２】
0006761238.tif 000003
【図３】
0006761238.tif 000004
【図４】
0006761238.tif 000005